(57)【要約】      （修正有）【課題】高効率のリフレクタを有するランプユニットを提供する【解決手段】本考案のランプユニット１００は、電球１０およびリフレクタ２０を含む。電球１０は、発光体１１と、発光体１１に接続されるベース１２と、を有し、ベース１２は、少なくとも１組の電極ピン１２１および少なくとも１つの係合接続部１２２を有する。リフレクタ２０は、カバー２１および少なくとも１つの挿入接続台２２を有する。カバー２１は、大開口部２１１および小開口部を有し、カバー２１の内表面は、突出した複数の反射面２１３から構成される。挿入接続台２２は、カバー２１の小開口部中に配置され、少なくとも１組の電極挿入孔２２２および少なくとも１つの弾性係合接続部材２２３を有する。以上の構造により、電球１０の着脱を簡単にできる上、ランプユニットの照度を高め、均一な照明を行うことができる。【選択図】図１
0003162228.tif 000002
【実用新案登録請求の範囲】
【請求項１】
電球およびリフレクタを含み、
前記電球は、発光体と、前記発光体に接続されるベースと、を有し、前記ベースは、少なくとも１組の電極ピンおよび少なくとも１つの係合接続部を有し、
前記リフレクタは、カバーおよび挿入接続台を有し、前記カバーは、大開口部および小開口部を有し、前記カバーの内表面は、突出した複数の反射面を含んで構成され、前記反射面は、弧面ユニットであり、前記挿入接続台は、前記カバーの小開口部中に配置され、前記挿入接続台は、少なくとも１組の電極挿入孔および少なくとも１つの弾性係合接続部材を有し、
前記係合接続部が前記挿入接続台の弾性係合接続部材に係合固定され、前記電極ピンが前記電極挿入孔内に挿入されることにより、前記発光体は、通電されて発光し、前記複数の反射面により、前記発光体が投射した光線が反射され、前記カバーの大開口部から外部に照射されることを特徴とする高効率のリフレクタを有するランプユニット。
【請求項２】
前記カバーは、円錐形、四角錘形または楕錐形であることを特徴とする請求項１記載の高効率のリフレクタを有するランプユニット。
【請求項３】
前記弧面ユニットは、矩形、台形または円弧形であることを特徴とする請求項１記載の高効率のリフレクタを有するランプユニット。
【請求項４】
前記突出した反射面は、真空鍍金、鏡面処理、光反射剤の塗布または光学レンズによって形成されることを特徴とする請求項１記載の高効率のリフレクタを有するランプユニット。
【請求項５】
前記ランプユニットには、更に、電力制御装置（電力安定化装置）が接続されることを特徴とする請求項１記載の高効率のリフレクタを有するランプユニット。
【請求項６】
前記電球の発光体は、セラミックメタルハライドランプ（公序良俗違反につき、不掲載）、キセノンランプおよびハロゲンランプを含む高輝度放電ランプ（ＨＩＤ）から選択されることを特徴とする請求項１記載の高効率のリフレクタを有するランプユニット。
【請求項７】
前記リフレクタの外表面は、平面ではなく、格子構造であることを特徴とする請求項１記載の高効率のリフレクタを有するランプユニット。
【請求項８】
前記ランプユニットは、更に、前記電球の発光体の端部に配置される防眩カバーを含むことを特徴とする請求項１記載の高効率のリフレクタを有するランプユニット。
【請求項９】
前記リフレクタには、前記リフレクタを、天井に固定されるランプソケットとして使用ために、固定板が接合されることを特徴とする請求項１記載の高効率のリフレクタを有するランプユニット。
【請求項１０】
前記ランプユニットは、大型リフレクタ内に配置されることを特徴とする請求項１記載の高効率のリフレクタを有するランプユニット。
【考案の詳細な説明】
【技術分野】
【０００１】
本考案は、照明ユニットに関し、特に、光線を均一に拡散させ、反射効率を高めることができる上、電球の交換に便利なランプユニットに関する。
【背景技術】
【０００２】
一般に、従来の電球には、照明したい領域の反対方向の位置にリフレクタが配置される。これにより、電球から放射された光線は、リフレクタに有効に反射した後、照明領域に集中的に照射される。
【０００３】
一般に、美観効果を高めることができる透光性リフレクタが使用される以外に、他のリフレクタの内表面は、すべて、真空鍍金、鏡面処理などの方式により、反射効率が高められる。しかし、リフレクタの内表面は、平滑状であり、内表面（反射面）の面積は、ランプカバーの寸法の制限を受けるため、面積を増大させることができない。このため、高めることができる反射効率に限界があり、照度を顕著に高めることができない。
【０００４】
そこで、従来技術において、リフレクタに波状の反射面が採用されたものが存在する。しかし、この波状の反射面は、実際には、凹凸面の構造であるため、凸面が凹面部分を遮りやすい上、水平角度に近い部分の光線反射が照度に影響を与える。また、波状の折曲部の数が多く、光線が重複して屈折されるため、照度が減衰し、優れた反射効果を達成することができない。また、上述の従来技術による灯具は、ユーザが頭を持ち上げた瞬間、ユーザの眼部に、眩しい光による不快な刺激を与えるため、改善の必要がある。
【０００５】
また、電球によっては、両端の電極ピンをランプソケットに挿入接続したり（例えば、天井設置型の蛍光灯）、ランプソケットに螺合させたりするものが存在する。しかし、これらの方式では、電球のランプソケットへの着脱を簡単にできないため、電球の交換およびメンテナンスに都合が悪い。
【先行技術文献】
【特許文献】
【０００６】
【特許文献１】特開２００７−２７３３８６号公報
【考案の概要】
【考案が解決しようとする課題】
【０００７】
本考案の第１の目的は、反射効率に優れ、照度が高く、均一な照明を行うことができる高効率のリフレクタを有するランプユニットを提供することにある。
本考案の第２の目的は、簡単な接合方式により、電球の着脱を迅速に行うことができる高効率のリフレクタを有するランプユニットを提供することにある。
本考案の第３の目的は、眩しさを低減することができる高効率のリフレクタを有するランプユニットを提供することにある。
【課題を解決するための手段】
【０００８】
上述の課題を解決するため、本考案は、高効率のリフレクタを有するランプユニットを提供するものである。本考案のランプユニットは、電球およびリフレクタを含む。電球は、発光体と、発光体に接続されるベースと、を有し、ベースは、少なくとも１組の電極ピンおよび少なくとも１つの係合接続部を有する。リフレクタは、カバーおよび少なくとも１つの挿入接続台を有する。カバーは、大開口部および小開口部を有し、カバーの内表面は、突出した複数の反射面から構成される。挿入接続台は、カバーの小開口部中に配置され、少なくとも１組の電極挿入孔および少なくとも１つの弾性係合接続部材を有する。係合接続部が挿入接続台の弾性係合接続部材に係合固定され、電極ピンが電極挿入孔内に挿入されることにより、電球の挿入接続台への着脱を簡単に行うことができ、従来技術における、電球のランプソケットへの着脱を容易にできないという欠点を解決することができる。本考案のランプユニットに電源を通電することにより、発光体が発光し、複数の反射面により、発光体が投射した光線が反射され、カバーの大開口部から外部に照射される。
【０００９】
上述の高効率のリフレクタを有するランプユニットのカバーは、円錐形、四角錘形または楕円錐形であるのが好ましい。
【００１０】
上述の高効率のリフレクタを有するランプユニットのリフレクタの突出した反射面の弧面ユニットは、光線を高効率に反射し、拡散させる機能を有する。弧面ユニットは、矩形、台形または円弧形である。
【００１１】
上述の高効率のリフレクタを有するランプユニットには、更に、電力制御装置（電力安定化装置）が接続される。
【００１２】上述の高効率のリフレクタを有するランプユニットの電球は、セラミックメタルハライドランプ（公序良俗違反につき、不掲載）、キセノンランプおよびハロゲンランプを含む高輝度放電ランプ（ＨＩＤ）から選択されるのが好ましい。また、本考案のランプユニットには、ＬＥＤランプが接合され、照度の高いＬＥＤランプを構成することもできる。【００１３】
上述の高効率のリフレクタを有するランプユニットのリフレクタの外表面は、平面ではなく、格子構造であり、これにより、リフレクタの強度が高められる。
【００１４】
上述の高効率のリフレクタを有するランプユニットは、更に、電球の発光体の自由端部に配置され、一般の室内外の照明の防眩に使用される防眩カバーを含む。
【００１５】
上述の高効率のリフレクタを有するランプユニットのリフレクタには、天井に設置され、蛍光灯のランプソケットの代わりに使用される固定板が接合される。これにより、従来の蛍光灯管のランプソケットへの着脱を簡単にできないという欠点と、照度を高めるためには、複数の蛍光灯を使用しなければならないために、消費電量が多くなる上、環境に悪影響を与えるという欠点と、を解決できる。
【００１６】
上述の高効率のリフレクタを有するランプユニットは、各種の照明に使用される。
【００１７】
上述の突出した反射面は、真空鍍金、鏡面処理、光反射剤の塗布または光学レンズによって形成される。
【考案の効果】
【００１８】
電球の係合接続部が挿入接続台の弾性係合接続部材に係合固定され、電極ピンが電極挿入孔内に挿入されることにより、電球の挿入接続台への着脱を簡単に行うことができ、従来技術における、電球のランプソケットへの着脱を簡単にできないという欠点を解決することができる。また、本考案のランプユニットに電源を通電することにより、発光体が発光し、複数の反射面により、発光体が投射した光線が反射されることにより、ランプユニットの照度を高め、均一な照明を行うことができる。
【図面の簡単な説明】
【００１９】
【図１】本考案の第１実施形態によるランプユニットを示す分解斜視図である。
【図２】本考案の第１実施形態によるランプユニットを示す斜視図である。
【図３】本考案の第１実施形態によるランプユニットを示す他の角度からの斜視図である。
【図４】本考案の第２実施形態によるランプユニットを示す斜視図である。
【図５】本考案の第３実施形態によるランプユニットを示す正面図である。
【図６】本考案の第３実施形態によるランプユニットを示す斜視図である。
【図７】本考案の第３実施形態によるランプユニットを示す分解斜視図である。
【図８】本考案の第４実施形態によるランプユニットを示す斜視図である。
【図９】本考案の第５実施形態によるランプユニットを示す斜視図である。
【図１０】本考案の第６実施形態によるランプユニットを示す透過斜視図である。
【考案を実施するための形態】
【００２０】
本考案の目的、特徴および効果を示す実施形態を図面に沿って詳細に説明する。
【００２１】
（第１実施形態）
図１〜図３を参照する。図１〜図３は、本考案の第１実施形態によるランプユニット１００を示す。本考案のランプユニット１００は、主に、電球１０およびリフレクタ２０を含む。
【００２２】
図１を参照する。図１に示すように、電球１０は、発光体１１と、発光体１１に接続されるベース１２と、を有する。ベース１２の一方の端部には、発光体１１と電気的に接続される２つ（１組）の電極ピン１２１が突設される。また、ベース１２の対向する２つの側辺上には、凹陥した係合接続部１２２がそれぞれ設けられる。
【００２３】
図１〜図３に示すように、リフレクタ２０は、カバー２１および挿入接続台２２を有する。カバー２１は、円錐形であり、内表面に連通する大開口部２１１および小開口部２１２を有する。カバー２１の内表面は、複数の突起状の反射面２１３が接続されて構成される。挿入接続台２２は、カバー２１の小開口部２１２上に配置され、小開口部２１２を封止する。挿入接続台２２の内側の端面には、凹陥した挿設部２２１が形成される。挿設部２２１の形状は、電球１０のベース１２の形状に対応する。また、挿設部２２１上の電球１０の２つの電極ピン１２１に対応する位置には、凹陥した電極挿入孔２２２が設けられる。電極挿入孔２２２は、外部の電源と連通される。また、挿設部２２１の対向する２つの側辺上には、電球１０の係合接続部１２２に対応する２つの弾性係合接続部材２２３が設けられる。
【００２４】
上述の説明は、本考案の第１実施形態によるランプユニット１００の各部の部材を説明したものである。次に、本考案の組立方式および使用上の特徴を説明する。
【００２５】
先ず、電球１０をリフレクタ２０上に接合するとき、電球１０のベース１２をリフレクタ２０の挿入接続台２２の位置に対応させ、電球１０の電極ピン１２１をリフレクタ２０の電極挿入孔２２２内に直接挿入する。これにより、電球１０に電源を通電し、発光させることができる。また、電球１０のベース１２をリフレクタ２０の挿設部２２１内に挿設するとき、リフレクタ２０の弾性係合接続部材２２３が電球１０の係合接続部１２２中に係合されるため、電球１０をリフレクタ２０内に固定させることができる。係合接続部１２２と弾性係合接続部材２２３との組み合わせにより、電球１０を容易に着脱させることができる。
【００２６】
リフレクタ２０の内表面に、内側に突出した形状の複数の弧面ユニット２１４によって反射面２１３が構成されることにより、反射面積を増大させることができる。これにより、電球１０の発光体１１が光線を放射したとき、反射面２１３上に照射された光線は、組み合わされて大きな反射面積を形成する突出した複数の弧面ユニット２１４に反射して輝度を増大させた後、リフレクタ２０の大開口部２１１から外部に照射される。リフレクタ２０の内表面に形成された反射面２１３の各弧面ユニット２１４は、表面が円弧状に平滑に突出するため、光線の反射が遮られることがなく、有効に光線を反射させることができる。これにより、光線が屈折しすぎて照度が減衰することがなく、従来のリフレクタの欠点を解決することができる上、照明領域に光線を均一に照射することができる。即ち、突出した複数の反射面２１３により、照度を高め、均一な照明を行うことができる上、電球の着脱を簡単で迅速に行うことができる。
【００２７】
上述のリフレクタ２０の突出した反射面２１３の弧面ユニット２１４は、矩形、台形、円弧形などとすることができ、何れの形態でも、反射面積を増大し、反射光線の拡散が遮られるのを防止し、優れた反射効果を達成することができる。
【００２８】
本考案の高効率のリフレクタを有するランプユニット１００には、電力制御装置（電力安定化装置）が電気的に接続される。電力制御装置（電力安定化装置）（図示せず）により、電球１０が起動されて発光体１１が発光する。電力制御装置（電力安定化装置）は、例えば、リフレクタ２０の挿入接続台２２に配置されたり、ランプユニット１００の外部に電気的に接続されたりして電球１０を起動する。
【００２９】
上述のリフレクタ２０の内部の反射面２１３には、真空鍍金または鏡面処理が行われたり、光反射層が塗布されたり、光学レンズが配置されたりすることにより、反射効果を強化することができる。
【００３０】  上述の電球１０の発光体１１は、例えば、セラミックメタルハライドランプ（公序良俗違反につき、不掲載）、キセノンランプまたはハロゲンランプなどの高輝度放電ランプ（ＨＩＤ）が好ましい。また、ＬＥＤランプなどによっても好適な照明効果を達成することができる。
【００３１】
図３を参照する。図３に示すように、上述のリフレクタ２０の外表面は、格子構造（即ち、平面ではない）が採用されることにより、リフレクタ２０の剛性が強化される。これにより、熱によって変形または破損することがない上、リフレクタ２０の厚さを低減させることにより、製造コストを低減させることができる。
【００３２】
（第２実施形態）
図４を参照する。図４は、本考案の第２実施形態によるランプユニット２００を示す斜視図である。本実施形態によるランプユニット２００は、第１実施形態と同様に、電球１０およびリフレクタ２０を含む。本実施形態では、電球１０の発光体１１の端部に配置される防眩カバーＡをさらに含む点が他の実施形態と異なる。防眩カバーＡにより、発光体１１からの光線が直接リフレクタ２０の外部に照射されるのを防止することができる。即ち、本来、リフレクタ２０に反射されない光線をリフレクタ２０の反射面２１３上に反射させることができ、これにより、反射面２１３に反射されない光線が、リフレクタ２０の大開口部２１１から、直接外部に照射されるのを防止し、光線がユーザの眼部を刺激するのを防止することができる。
【００３３】
（第３実施形態）
図５を参照する。図５は、本考案の第３実施形態によるランプユニット３００を示す斜視図である。本実施形態によるランプユニット３００は、第１実施形態と同様に、電球１０およびリフレクタ３０を含む。本実施形態では、リフレクタ３０のカバー３１が楕円錐形であり、街灯、室内外の壁灯、車両灯などに使用することができる点が他の実施形態と異なる。本実施形態のリフレクタ３０の形状は、他の実施形態と異なるものの、リフレクタ３０の内側の反射面２１３上に照射された光線は、組み合わされて大きな反射面積を形成する突出した複数の弧面ユニット２１４による高効率の反射により、他の実施形態と同様に、照度を高めることができる上、光線反射が遮られるのを防止することができる。
【００３４】
図６および図７を参照する。図６および図７に示すように、本実施形態のランプユニット３００には、従来の天井に固定される蛍光灯ソケットの代わりとなる板体が接合される。また、電球１０は、前述の他の実施形態と同様に、簡単で便利に着脱を行うことができる。
【００３５】
（第４実施形態）
図８を参照する。図８は、本考案の第４実施形態によるランプユニット４００を示す斜視図である。本実施形態による４００は、前述の実施形態と同様に、電球１０およびリフレクタ４０を含む。本実施形態は、リフレクタ４０のカバー４１が四角錐である点が他の実施形態と異なる。これにより、リフレクタ４０を従来の天井に固定される蛍光灯ソケットの代わりとして直接使用することができる。他の効果は、前述の実施形態と同一であるため、贅言しない。
【００３６】
（第５実施形態）
図９を参照する。図９は、本考案の第５実施形態によるランプユニット５００を示す斜視図である。本実施形態によるランプユニット５００は、前述の第１実施形態と同様に、電球１０およびリフレクタ２０を含む。本実施形態は、リフレクタ２０に固定板９９が接合される点が他の実施形態と異なる。これにより、リフレクタ２０を従来の天井に固定される蛍光灯ソケットの代わりとして直接使用することができる。他の効果は、前述の実施形態と同一であるため、贅言しない。
【００３７】
（第６実施形態）
図１０を参照する。図１０は、本考案の第６実施形態によるランプユニット６００を示す透過斜視図である。本実施形態によるランプユニット６００は、前述の第１実施形態と同様に、電球１０およびリフレクタ２０を含む。本実施形態のランプユニット６００は、大型リフレクタ９８の内部に配置される。これにより、街灯、屋外照明などの室外照明として使用することができ、光線を所定の照射角度内に集中させることができる。
【００３８】
以上の詳細な説明は、本考案の実施可能な実施形態を示したものであり、本考案を限定するものではない。また、本考案を逸脱しない範囲において、当業者が容易に考え得る変更および修飾は、すべて本考案の実用新案登録請求の範囲に含まれる。
【符号の説明】
【００３９】
（第１実施形態）
１００  ランプユニット
１０  電球
１１  発光体
１２  ベース
１２１  電極ピン
１２２  係合接続部
２０  リフレクタ
２１  カバー
２１１  大開口部
２１２  小開口部
２１３  反射面
２１４  弧面ユニット
２２  挿入接続台
２２１  挿設部
２２２  電極挿入孔
２２３  弾性係合接続部材
（第２実施形態）
２００  ランプユニット
１０  電球
１１  発光体
２０  リフレクタ
２１１  大開口部
２１３  反射面
Ａ  防眩カバー
（第３実施形態）
３００  ランプユニット
１０  電球
３０  リフレクタ
３１  カバー
（第４実施形態）
４００  ランプユニット
１０  電球
４０  リフレクタ
４１  カバー
（第５実施形態）
５００  ランプユニット
１０  電球
２０  リフレクタ
９９  固定板
（第６実施形態）
６００  ランプユニット
２０  リフレクタ
９８  大型リフレクタ
【図１】
0003162228.tif 000003
【図２】
0003162228.tif 000004
【図３】
0003162228.tif 000005
【図４】
0003162228.tif 000006
【図５】
0003162228.tif 000007
【図６】
0003162228.tif 000008
【図７】
0003162228.tif 000009
【図８】
0003162228.tif 000010
【図９】
0003162228.tif 000011
【図１０】
0003162228.tif 000012
【手続補正書】
【提出日】平成22年6月24日(2010.6.24)
【手続補正１】
【補正対象書類名】明細書
【補正対象項目名】００１２
【補正方法】変更
【補正の内容】
【００１２】
上述の高効率のリフレクタを有するランプユニットの電球は、セラミックメタルハライドランプ、キセノンランプおよびハロゲンランプを含む高輝度放電ランプ（ＨＩＤ）から選択されるのが好ましい。また、本考案のランプユニットには、ＬＥＤランプが接合され、照度の高いＬＥＤランプを構成することもできる。
【手続補正２】
【補正対象書類名】明細書
【補正対象項目名】００３０
【補正方法】変更
【補正の内容】
【００３０】
上述の電球１０の発光体１１は、例えば、セラミックメタルハライドランプ、キセノンランプまたはハロゲンランプなどの高輝度放電ランプ（ＨＩＤ）が好ましい。また、ＬＥＤランプなどによっても好適な照明効果を達成することができる。
【手続補正３】
【補正対象書類名】実用新案登録請求の範囲
【補正対象項目名】請求項６
【補正方法】変更
【補正の内容】
【請求項６】
前記電球の発光体は、セラミックメタルハライドランプ、キセノンランプおよびハロゲンランプを含む高輝度放電ランプ（ＨＩＤ）から選択されることを特徴とする請求項１記載の高効率のリフレクタを有するランプユニット。